(57)【要約】  三次元ライトフィールドの分布を形成するための光学装置１００は、ユニットセル１０４のアレイ１０２を備え、ユニットセル１０４は、ユニットセル１０４の光学特性を第１と第２の条件との間で切り替えるために個別にアドレス指定可能であり、ユニットセル１０４は、選択的にアクティブまたは非アクティブになるように構成され、アレイ１０２は、少なくとも第１および第２の互いに素なサブセット１１０；１１２；１１４；１１６を備え、サブセット１１０；１１２；１１４；１１６のユニットセル１０４は、非アクティブからアクティブに共同で切り替えられるように構成され、アクティブなユニットセル１０４は、三次元ライトフィールドの分布を形成するために入射光線１０６と相互作用するように構成され、光学装置１００は、ユニットセル１０４の光学特性を切り替えるために非アクティブなユニットセル１０４をアドレス指定するように構成される。
2021514491.tif 000002
【特許請求の範囲】
【請求項１】
三次元ライトフィールドの分布を形成するための光学装置（１００）であって、前記光学装置（１００）は、
ユニットセル（１０４）のアレイ（１０２）であって、ユニットセル（１０４）のアレイ（１０２）内のユニットセル（１０４）は、ユニットセル（１０４）の光学特性を制御するために個別にアドレス指定可能であり、ユニットセル（１０４）のアドレス指定は、光学特性の第１の条件と光学特性の第２の条件との間で、ユニットセル（１０４）の光学特性を切り替えるように構成される、ユニットセル（１０４）のアレイ（１０２）を備え、
ユニットセル（１０４）のアレイ（１０２）内のユニットセル（１０４）は、選択的にアクティブまたは非アクティブになるように構成され、ユニットセル（１０４）のアレイ（１０２）は、ユニットセル（１０４）の少なくとも第１のサブセット（１１０；１１２；１１４；１１６）およびユニットセル（１０４）の第２のサブセット（１１０；１１２；１１４；１１６）を備え、第１のサブセット（１１０；１１２；１１４；１１６）および第２のサブセット（１１０；１１２；１１４；１１６）は互いに素であり、ユニットセル（１０４）のサブセット（１１０；１１２；１１４；１１６）内のユニットセル（１０４）は、非アクティブからアクティブに共同で切り替えられるように構成され、
前記アクティブなユニットセル（１０４）は、入射光線（１０６）と相互作用し、三次元ライトフィールドの分布を形成するのに協働するように構成され、
前記光学装置（１００）は、ユニットセル（１０４）が非アクティブであるときに、ユニットセル（１０４）の光学特性を切り替えるために非アクティブなユニットセル（１０４）をアドレス指定するように構成される、光学装置。
【請求項２】
第１のサブセット（１１０；１１２；１１４；１１６）のユニットセル（１０４）は、ユニットセル（１０４）のアレイ内の第２のサブセット（１１０；１１２；１１４；１１６）のユニットセル（１０４）と交互に配置される、請求項１に記載の光学装置。
【請求項３】
ユニットセル（１０４）の第１のサブセット（１１０；１１２；１１４；１１６）は、ユニットセル（１０４）の第１のサブアレイを形成し、ユニットセル（１０４）の第２のサブセット（１１０；１１２；１１４；１１６）は、ユニットセル（１０４）の第２のサブアレイを形成し、第１のサブアレイおよび第２のサブアレイは、共通の基板上で互いに隣接して配置される、請求項１に記載の光学装置。
【請求項４】
ユニットセル（１０４）の各サブセット（１１０；１１２；１１４；１１６）は、光の第１の波長と相互作用するように構成された第１のユニットセルと、光の第１の波長とは異なる光の第２の波長と相互作用するように構成された第２のユニットセルと、を備える、請求項１ないし３のうちいずれか１項に記載の光学装置。
【請求項５】
光学装置は、ユニットセル（１０４）のアレイ（１０２）に関して配置された光シャッタ構造（１２０）をさらに備え、光シャッタ構造（１２０）は、光シャッタ構造（１２０）への入射光が、ユニットセル（１０４）が非アクティブであるか、またはアクティブであるかを選択するために光シャッタ構造（１２０）が関連付けられているユニットセル（１０４）に到達するかどうかを選択するために制御可能である、請求項１ないし４のうちいずれか１項に記載の光学装置。
【請求項６】
光シャッタ構造（１２０）は、ユニットセル（１０４）の第１のサブセット（１１０；１１２；１１４；１１６）によって共有される第１の光シャッタと、ユニットセル（１０４）の第２のサブセット（１１０；１１２；１１４；１１６）によって共有される第２の光シャッタと、を備える、請求項５に記載の光学装置。
【請求項７】
光シャッタ構造（１２０）は、光シャッタユニットのアレイを備え、各光シャッタユニットは、単一のユニットセル（１０４）に関連付けられ、第１のサブセット（１１０；１１２；１１４：１１６）に関連付けられた光シャッタユニットは、第１のサブセット（１１０；１１２；１１４：１１６）内のユニットセル（１０４）を非アクティブからアクティブに切り替えるために共同で制御されるように構成される、請求項５に記載の光学装置。
【請求項８】
光学装置（１００）は、光シャッタ構造（１２０）に制御信号を提供する制御ユニット（２１０）を備え、制御信号は、光シャッタ構造（１２０）への入射光が、相変化材料の状態の変化、偏光フィルタを通過する光を制御するための液晶の状態の変化、電気光学効果の誘発、磁気光学効果の誘発、偏光フィルタによって透過される光の偏光の変更、微小電気機械システムのアクチュエータの動きのアクティブ化、または巨視的な機械的シャッタのアクティブ化に基づいて光シャッタ構造（１２０）が関連付けられているユニットセル（１０４）に到達するかどうかを制御するように構成される、請求項５ないし７のうちいずれか１項に記載の光学装置。
【請求項９】
光学装置（１００）は、ユニットセル（１０４）のアレイ（１０２）に関して配置された受動偏光フィルタのセットを備え、ユニットセル（１０４）の第１のサブセット（１１０；１１２；１１４；１１６）は、第１の偏光の光を透過するように構成された第１の偏光フィルタに関連付けられ、ユニットセル（１０４）の第２のサブセット（１１０；１１２；１１４；１１６）は、第１の偏光とは異なる第２の偏光の光を透過するように構成された第２の偏光フィルタに関連付けられる、請求項１ないし４のうちいずれか１項に記載の光学装置。
【請求項１０】
ユニットセル（１０４）は、第１の状態と第２の状態との間で切り替えられ得る相変化材料を備え、第１の状態と第２の状態との間の相変化材料の切り替えは、光学特性の第１の条件と光学特性の第２の条件との間でユニットセル（１０４）の光学特性を切り替えるように構成される、請求項１ないし９のうちいずれか１項に記載の光学装置。
【請求項１１】
アクティブなユニットセル（１０４）は、三次元ライトフィールドの分布を形成するために入射光線（１０６）を反射する際に協働するように構成される、請求項１ないし１０のうちいずれか１項に記載の光学装置。
【請求項１２】
アクティブなユニットセル（１０４）は、三次元ライトフィールドの分布を形成するために入射光線（１０６）を透過する際に協働するように構成される、請求項１ないし１０のうちいずれか１項に記載の光学装置。
【請求項１３】
三次元ライトフィールドの分布を形成するためのシステム（２００）であって、前記システム（２００）は、
請求項１ないし１２のうちいずれか１項に記載の光学装置（１００）と、
ユニットセル（１０４）のアレイ（１０２）に入射する光線（１０６）を放射するように構成された光源（２０２）と、
を備えるシステム。
【請求項１４】
前記システムは、光源（２０２）によって放射された光の偏光を制御するためのコントローラ（２１０）をさらに備える、請求項１３に記載のシステム。
【請求項１５】
三次元ライトフィールドの分布を形成するための方法であって、前記方法は、
ユニットセルのアレイに入射する光線を受け取るステップ（３０２）と、
ユニットセルの第１のサブセットをアクティブにし、ユニットセルの第２のサブセットを非アクティブにすることを選択するステップ（３０４）であって、ユニットセルの第１のサブセットは、ユニットセルの第２のサブセットから切り離されている、ステップと、
ユニットセルの光学特性を、光学特性の少なくとも第１条件および光学特性の第２の条件のうちの１つに制御するために、第２のサブセットのユニットセルが非アクティブである間に、ユニットセルの第２のサブセットのユニットセルを個別にアドレス指定するステップ（３０６）であって、ユニットセルの第２のサブセットは、三次元ライトフィールドの分布を形成するためのユニットセルの個別のアドレス指定によってプログラムされる、ステップと、
ユニットセルの第１のサブセットを非アクティブに共同で切り替えるステップ（３０８）と、
ユニットセルの第２のサブセットを共同で切り替えて（３１０）アクティブにし、三次元ライトフィールドの分布をユニットセルの第２のサブセットにプログラムされた分布に変更するステップと、
を含む方法。
【発明の詳細な説明】
【技術分野】
【０００１】
本発明の概念は、三次元ライトフィールドの分布を形成するための光学装置に関する。特に、本発明の概念は、ホログラフィック画像を表示するために三次元ライトフィールドを形成することができる光学装置に関する。
【背景技術】
【０００２】
ホログラフィック画像は、ライトフィールドの三次元制御によって形成される。特に、ホログラフィックビデオの提示など、変化するホログラフィック画像を提示することが望まれる場合、三次元ライトフィールドを形成するための光学装置は、特性を変化させるように制御される必要があるかもしれない。
【０００３】
三次元ライトフィールドの分布を形成するための光学装置は、ユニットセルのアレイを備え得る。ユニットセルのアレイは、所望の三次元ライトフィールドを一緒に形成するために、入射光線と相互作用し得る。したがって、所望の三次元ライトフィールドが形成されるように、ユニットセルのそれぞれの光との相互作用を制御するために、ユニットセルを制御する必要がある場合がある。したがって、新しいホログラフィック画像を提示する場合、提示されるホログラフィック画像を変更するには、多数のユニットセルを目的の状態に再構成する必要がある。
【０００４】
したがって、ホログラフィックビデオプロジェクタは、ユニットセルのアレイに大量のデータを書き込む必要がある。典型的なホログラフィックビデオプロジェクタの場合、ホログラフィックビデオを見る観察者が妨げられないようにするには、数十Ｇｂのデータを１０ｍｓのオーダの時間フレームで１００ｎｍのピッチ（隣接するユニットセル間の距離）で書き込む必要がある。
【０００５】
このような量のデータの書き込みは非常に困難な作業である。
【発明の概要】
【０００６】
本発明の概念の目的は、三次元ライトフィールドの分布の制御を改善するために使用することができる改善された光学装置を提供することである。本発明の概念の特定の目的は、ホログラフィックビデオを表示するために非常に大量のデータをユニットセルのアレイに書き込む問題を少なくとも軽減する光学装置を提供することである。
【０００７】
本発明のこれらおよび他の目的は、独立請求項で定義された本発明によって少なくとも部分的に満たされる。好ましい実施形態は、従属請求項に記載されている。
【０００８】
第１の態様によれば、三次元ライトフィールドの分布を形成するための光学装置が提供され、前記光学装置は、ユニットセルのアレイであって、ユニットセルのアレイ内のユニットセルは、ユニットセルの光学特性を制御するために個別にアドレス指定可能であり、ユニットセルのアドレス指定は、光学特性の第１の条件と光学特性の第２の条件との間で、ユニットセルの光学特性を切り替えるように構成される、ユニットセルのアレイを備え、ユニットセルのアレイ内のユニットセルは、選択的にアクティブまたは非アクティブになるように構成され、ユニットセルのアレイは、ユニットセルの少なくともの第１のサブセットおよびユニットセルの第２のサブセットを備え、第１のサブセットおよび第２のサブセットは互いに素であり、ユニットセルのサブセット内のユニットセルは、非アクティブからアクティブに共同で切り替えられるように構成され、アクティブなユニットセルは、入射光線と相互作用し、三次元ライトフィールドの分布を形成するのに協働するように構成され、光学装置は、ユニットセルが非アクティブであるときに、ユニットセルの光学特性を切り替えるために非アクティブなユニットセルをアドレス指定するように構成される。
【０００９】
第１の態様による光学装置のおかげで、ユニットセルのアレイは、第１および第２のサブセットを備える。したがって、ユニットセルは、選択的に非アクティブまたはアクティブであり得、アクティブなユニットセルのみが、所与の時点での三次元ライトフィールドの分布の形成に寄与する。これは、非アクティブな状態で、非アクティブなユニットセルに表示される次のホログラフィック画像を表す情報を書き込むために、非アクティブなユニットセルをアドレス指定できることを意味する。情報の書き込みは、各ユニットセルの光学特性の条件を制御することにより行われる。したがって、前の画像が表示されている間に情報が書き込まれる可能性があるため、次のホログラフィック画像に関する情報を非アクティブなユニットセルに提供するための書き込み時間については、比較的寛大な要件がある。
【００１０】
ユニットセルの少なくとも第１のサブセットと第２のサブセットの使用は、全てのユニットセルが三次元ライトフィールドの分布の形成に同時に使用されないことを意味する。したがって、ホログラフィックビデオを表示するためにユニットセルのアレイに大量の情報を書き込むことを可能にするために、ホログラフィック画像の解像度、明るさ、および品質のトレードオフを行うことができる。
【００１１】
三次元ライトフィールドの所望の分布を形成するためにユニットセルの光学特性の条件を切り替えるために、ユニットセルは個別にアドレス指定される必要があるかもしれない。各ユニットセルは、所望の分布が形成されるように、光学特性の個別に設定された条件を有することができる。これは、各ユニットセルの光学特性の条件を制御するために、ユニットセルを個別にアドレス指定する必要があることを意味する。これは、時間のかかる操作、またはユニットセルのアドレス指定に非常に多くの並列制御ラインを必要とする。しかしながら、アクティブなユニットセルに基づいてホログラフィック画像が表示されている間に、ユニットセルから非アクティブなユニットセルへの個別のアドレス指定を実行すると、ユニットセルのアドレス指定に使用できる時間は、大幅に増加する（通常、１秒あたり２５フレームのフレームレートは、約４０ｍｓの期間に表示される単一の画像に対応する）。
【００１２】
ユニットセルのサブセットの非アクティブからアクティブへの切り替え（またはその逆）は、非常に高速に実行できる。サブセットのユニットセルの光学特性の条件は、ユニットセルの個別のアドレス指定で設定されているため、サブセットのユニットセルが非アクティブからアクティブに確実に切り替えられるように、サブセット内の全てのユニットセルに対して共通の操作を実行できる。したがって、サブセット内のユニットセルは、サブセット内の全てのユニットセルに適用される単一の制御信号を使用して、非アクティブからアクティブに一緒に切り替えられてもよい。
【００１３】
ユニットセルの非アクティブからアクティブへの共同切り替えは、サブセット内の全てのユニットセルが同時に切り替えられるように、単一の制御信号を使用して実行することができる。しかしながら、サブセットは、複数の制御線に関連付けられてもよく、各制御線は、サブセット内の複数のユニットセルを制御してもよいことを理解されたい。したがって、ユニットセルを非アクティブからアクティブに切り替えるために、複数（しかしながら少数）の制御線上の一連の制御信号を使用して共同切り替えを実行することができる。共同切り替えは、ホログラフィックビデオを見る観察者の体験に影響を及ぼさないように、短時間で実行されてもよい。
【００１４】
したがって、ユニットセルの共同切り替えは、ユニットセルが同時に切り替えられると解釈する必要がある。または、切り替えが正確に同時に実行されない場合は、観察者の体験を妨げないように十分高速に実行する必要がある。これは、一般的な操作によって実現でき、事前定義された方法で制御できる。例えば、共通の動作は、複数の制御線上に供給される一連の制御信号を形成する制御信号のパケットによってトリガーされてもよい。
【００１５】
以下の様々な実施形態で例示されるように、ユニットセルの非アクティブからアクティブへの切り替えは、例えば、ユニットセルに関連付けられた光シャッタ構造を使用して実行されてもよい。
【００１６】
ユニットセルのアレイは、ユニットセルの２つ以上の互いに素のサブセットを備え得ることが理解されるべきである。これにより、ユニットセルに情報を書き込むためにサブセット内のユニットセルを個別にアドレス指定するための時間がさらに長くなる可能性がある。サブセットのユニットセルは、３つのサブセットを使用すると１／３の時間、４つのサブセットを使用すると１／４の時間だけアクティブになる。しかしながら、いくつかの実施形態では、ユニットセルのさらなるサブセットが使用される場合、ホログラフィック画像の解像度はさらに影響を受ける可能性がある。
【００１７】
三次元ライトフィールドの分布の形成は、例えば、制御された照明のための任意のタイプの用途において、上述のホログラフィックビデオの表示など、いくつかの異なる用途で使用できることを理解されたい。
【００１８】
アクティブなサブセットに基づく三次元ライトフィールドの分布は、観察者によって知覚されるホログラフィック画像の一部にのみ寄与する可能性があることも理解されるべきである。視覚の持続性に基づいて、高速シーケンスで形成されたホログラフィック画像は、完全なホログラフィック画像を一緒に表示していると認識される場合がある。したがって、第１のアクティブサブセットに基づいて形成された三次元ライトフィールドの分布は、第１のアクティブサブセットの分布が形成された直後に、第２のアクティブサブセットに基づいて形成された三次元ライトフィールドの分布と共に、完全なホログラフィック画像として観察者に知覚され得る。
【００１９】
一実施形態によれば、第１のサブセットのユニットセルは、ユニットセルのアレイ内の第２のサブセットのユニットセルと交互に配置される。
【００２０】
これは、第１のサブセットのユニットセルがユニットセルのアレイ全体に広がっていることを意味する。同様に、第１のサブセットのユニットセルは、ユニットセルのアレイ全体に広げることができる。
【００２１】
一実施形態では、１つおきのユニットセルは第１のサブセットの一部であり、１つおきのユニットセルは第２のサブセットの一部である。これは、第１のサブセットの各ユニットセルが第２のサブセットの２つのユニットセルの間に配置され、第２のサブセットの各ユニットセルが第１のサブセットの２つのユニットセルの間に配置されることを意味する。そのような実施形態では、サブセット内のユニットセルは、ユニットセルのアレイ全体に亘って均一に広がっており、一連の連続的に投影されるホログラフィック画像全体に亘って高品質のホログラフィック画像の形成を容易にし得る。
【００２２】
他の実施形態では、各サブセットのユニットセルは、ｎ×ｍのユニットセルのクラスタに広げることができる。第１のサブセットのユニットセルの各クラスタは、第２のサブセットのユニットセルの２つのクラスタの間に配置されてもよく、逆もまた同様である。
【００２３】
インターリーブされたサブセットの他の構成が可能であることを理解されたい。特に、ユニットセルのアレイは、３つ以上のサブセットを備えることができ、全てのサブセットのユニットセルは、交互配置することができる。サブセット内のユニットセルは、例えば、ユニットセルのアレイに規則的なパターンを形成し、サブセットに属する単一のユニットセルまたはユニットセルのクラスタをユニットセルのアレイに均等に分散させる。
【００２４】
一実施形態によれば、ユニットセルの第１のサブセットは、ユニットセルの第１のサブアレイを形成し、ユニットセルの第２のサブセットは、ユニットセルの第２のサブアレイを形成し、第１のサブアレイおよび第２のサブアレイは共通の基板上で互いに隣接して配置される。
【００２５】
これは、ユニットセルの各サブセットがユニットセルのアレイ内の個別の領域に関連付けられている可能性があることを意味する。したがって、同じサブセットの一部である２つの隣接するユニットセル間の距離は、ユニットセルのアレイ内の２つの隣接するユニットセル間の距離に等しくなる。したがって、このようなサブセットの配置を使用すると、ホログラフィック画像の解像度は、２つ以上のサブセットに分割されるユニットセルのアレイによって影響を受ける必要はない。
【００２６】
しかしながら、複数のサブセットは、所与の時点でホログラフィック画像を表示するときに全てのユニットセルが同時に使用されないことを依然として意味する。したがって、ユニットセルのアレイ全体は、複数のサブセットに分割されないユニットセルのアレイよりも大きい必要がある。
【００２７】
一実施形態によれば、ユニットセルの各サブセットは、光の第１の波長と相互作用するように構成される第１のユニットセルと、光の第１の波長とは異なる光の第２の波長と相互作用するように構成される第２のユニットセルとを備える。
【００２８】
これは、マルチカラーのホログラフィック画像が形成されるように、光学装置が複数の波長に対する三次元ライトフィールドの分布を形成するように構成され得ることを意味する。したがって、サブセットのそれぞれは、第１の波長との相互作用専用の第１のユニットセルと第２の波長との相互作用専用の第２のユニットセルを備えることができ、単一のサブセットのユニットセルのみがアクティブな場合に、マルチカラーホログラフィック画像をいつでも表示できるようにする。
【００２９】
アクティブなサブセットは、異なる波長の一連の入射光線を受け取ることができる。視覚の持続性のおかげで、ホログラフィック画像を見る観察者は、一連の異なる色の入射光線によってアクティブなサブセットを照明することによって形成されたホログラフィック画像の高速シーケンスを単一のマルチカラーホログラフィック画像として知覚できる。
【００３０】
光学装置は、３つ以上の波長を使用してマルチカラー画像を形成するように構成され、ユニットセルの各サブセットは、第３の波長と相互作用するように構成された第３のユニットセルも備え得ることを理解されたい。
【００３１】
一実施形態では、ユニットセルは、ユニットセルが相互作用する光の波長を制御するためのカラーフィルタと関連付けられてもよい。
【００３２】
一実施形態によれば、光学装置は、ユニットセルのアレイに関して配置された光シャッタ構造をさらに備え、光シャッタ構造は、光シャッタ構造への入射光が、ユニットセルが非アクティブであるかアクティブであるかを選択するために関連付けられているユニットセルに到達するかどうかを選択するために制御可能である。
【００３３】
光シャッタ構造は、ユニットセルのアレイが形成される基板と統合されてもよい。しかしながら、光シャッタ構造は、代替的に、基板とは別に配置されてもよく、例えば、光源に関連付けられるか、光源とユニットセルのアレイとの間に配置される。
【００３４】
光シャッタ構造は、サブセットのユニットセルが光シャッタ構造に関連付けられて、光シャッタ構造が制御されると、サブセット内のユニットセルが共同して非アクティブからアクティブに切り替えられるように配置されてもよい（またはその逆）。
【００３５】
一実施形態によれば、光シャッタ構造は、ユニットセルの第１のサブセットによって共有される第１の光シャッタと、ユニットセルの第２のサブセットによって共有される第２の光シャッタとを備える。
【００３６】
したがって、第１の光シャッタは、第１のサブセットの全てのユニットセルに関連付けられ得、第２の光シャッタは、第２のサブセットの全てのユニットセルに関連付けられ得る。これは、第１の光シャッタの制御が、第１のサブセットのユニットセルを非アクティブからアクティブに、またはその逆に共同で切り替え得ることを意味する。同様に、第２の光シャッタの制御は、第２のサブセットのユニットセルを非アクティブからアクティブに、またはその逆に共同で切り替えることができる。
【００３７】
したがって、第１の光シャッタは、単一の制御信号によって制御され得る単一の構造として形成され得、第２の光シャッタは、単一の制御信号（第１の光シャッタを制御する制御信号とは異なる）によっても制御され得る他の単一の構造として形成され得る。例えば、第１の光シャッタおよび／または第２の光シャッタは、光シャッタに関連付けられるサブセットのユニットセルの上に配置された複数のラインを備えてもよい。複数のラインは、例えば、端部で相互接続され得、その結果、単一の制御信号は、サブセットのユニットセルを非アクティブからアクティブに、またはその逆に切り替え得る。
【００３８】
一実施形態によれば、光シャッタ構造は、光シャッタユニットのアレイを備え、各光シャッタユニットは、単一のユニットセルに関連付けられ、第１のサブセットに関連付けられた光シャッタユニットは、第１のサブセット内のユニットセルを非アクティブからアクティブに切り替えるために共同で制御されるように構成される。
【００３９】
したがって、光シャッタ構造は、光シャッタユニットとアレイ内のユニットセルとの間に１対１の関係を形成する別個の光シャッタユニットを備えることができる。サブセットのユニットセルをアクティブから非アクティブに切り替える場合、サブセットに関連付けられた光シャッタユニットで共通の操作が実行されるため、光シャッタユニットの状態を切り替えるための制御信号を提供するために、光シャッタユニットを個別にアドレス指定する必要はない。むしろ、第１のサブセットに関連付けられた光シャッタユニットは、例えば、制御信号が同時にまたは共同で第１のサブセットに関連付けられた光シャッタユニットに提供されるように、共同で制御されるように構成され得る。
【００４０】
一実施形態によれば、光学装置は、光シャッタ構造に制御信号を提供する制御ユニットを備え、制御信号は、光シャッタ構造への入射光が、相変化材料の状態の変化、偏光フィルタを通過する光を制御するための液晶の状態の変化、電気光学効果の誘発、磁気光学効果の誘発、偏光フィルタによって透過される光の偏光の変更、マイクロエレクトロメカニカルまたはナノエレクトロメカニカルシステムのアクチュエータの動きのアクティブ化、または巨視的なメカニカルシャッタのアクティブ化に基づいて、光シャッタ構造が関連付けられているユニットセルに到達するかどうかを制御するように構成される。
【００４１】
このように、入射光がサブセット内のユニットセルによって受け取られるべきかどうかを制御する機能は、様々な方法で達成され得る。光シャッタ構造への入射光がユニットセルへ通過することを許可されるかどうかを制御する方法は、例えば、光がユニットセルに到達するのを防ぐ効果、制御構造のサイズ、光シャッタユニットのピッチ、および／または制御構造の複雑さに関して選択され得る。
【００４２】
一実施形態によれば、光シャッタ構造は、光シャッタ構造への入射光が、光シャッタ構造が関連付けられているユニットセルに到達するかどうかを選択するための制御信号を送信するための制御線を備える。制御信号は、ユニットセルの光学特性の条件を切り替えるためにユニットセル内のローカル機能をトリガーするように構成され得る。
【００４３】
他の実施形態では、光学装置は、光シャッタ構造に制御信号を提供する制御ユニットを備え、光シャッタ構造は、ユニットセルのアレイによって送信される光を受け取るように配置され、制御信号は、光シャッタ構造への入射光が三次元ライトフィールドの分布の形成に寄与できるかどうかを制御するように構成される。光シャッタ構造の制御は、相変化材料の状態の変化、偏光フィルタを通過する光を制御するための液晶の状態の変化、電気光学効果の誘発、磁気光学効果の誘発、偏光フィルタによって透過される光の偏光の変更、マイクロエレクトロメカニカルシステムのアクチュエータの動きのアクティブ化、または巨視的なメカニカルシャッタのアクティブ化に基づくことができる。
【００４４】
一実施形態によれば、光学装置は、ユニットセルのアレイに関して配置された受動偏光フィルタのセットを備え、ユニットセルの第１のサブセットは、第１の偏光の光を透過するように構成される第１の偏光フィルタに関連付けられ、ユニットセルの第２サブセットは、第１偏光とは異なる第２偏光の光を透過するように構成された第２の偏光フィルタに関連付けられている。
【００４５】
受動偏光フィルタのセットは、ユニットセルのアレイが形成される基板と統合されてもよい。しかしながら、受動偏光フィルタのセットは、代替的に、基板とは別に配置されてもよく、例えば、光源に関連付けられるか、光源とユニットセルのアレイとの間に配置される。
【００４６】
したがって、各サブセットは、特定の光の偏光に関連付けられ得る。したがって、入射光線の光の偏光を切り替えることにより、サブセットのユニットセルを非アクティブからアクティブに切り替えることができる。
【００４７】
第１の偏光フィルタおよび第２の偏光フィルタは、それぞれ入射光の直交直線偏光状態または左旋円偏光状態および右旋円偏光状態を透過するように構成され得る。
【００４８】
一実施形態によれば、ユニットセルは、第１の状態と第２の状態との間で切り替えられ得る相変化材料を備え、第１の状態と第２の状態との間の相変化材料の切り替えは、ユニットセルの光学特性を、光学特性の第１の条件と光学特性の第２の条件との間で切り替えるように構成される。
【００４９】
ユニットセルの光学特性の条件を制御するために相変化材料を有利に使用することができる。例えば、ユニットセルの反射率または透過率は、相変化材料の状態に大きく依存する場合がある。したがって、ユニットセルの相変化材料の状態を切り替えることにより、三次元ライトフィールドの分布の形成へのユニットセルの寄与を制御することができる。したがって、サブセット内のユニットセルのそれぞれの状態を設定することにより、三次元ライトフィールドの所望の分布を定義することができる。
【００５０】
相変化材料は、例えば、材料の層のスタックにおいて、他の材料と組み合わせることができ、相変化材料の状態は、材料の層のスタックの光学特性の条件を制御することができる。したがって、ユニットセルは、相変化材料を含む様々な構成で形成されてもよいことが理解されるべきである。
【００５１】
相変化材料の状態の切り替えは、例えば、熱活性化によって、または相変化材料を電場または磁場に加えることによって、多くの異なる方法で誘発され得る。相変化材料の状態の制御は、例えば、ユニットセルに局所的に相変化材料の状態の切り替えを誘導するためにユニットセルに関連付けられた電極に制御信号を送信することにより、ユニットセルを個別にアドレス指定することによって提供され得ることを理解されたい。
【００５２】
一実施形態によれば、アクティブユニットセルは、三次元ライトフィールドの分布を形成するために入射光線を反射する際に協働するように構成される。
【００５３】
他の実施形態によれば、アクティブユニットセルは、三次元ライトフィールドの分布を形成するために入射光線を送信する際に協働するように構成される。
【００５４】
したがって、光学装置は、三次元ライトフィールドの分布の反射形成または透過形成のいずれかのために構成され得ることが理解されるべきである。光学装置が反射性であるか透過性であるように構成されるべきかどうかの選択は、所望の用途に応じて行われ得る。また、光シャッタ構造を実施するためのいくつかの技術は、例えば、非アクティブなユニットセルに対して入射光線を反射するように構成された光シャッタ構造を使用する場合など、透過型光学装置を使用するのにより適している。
【００５５】
第２の態様によれば、三次元ライトフィールドの分布を形成するためのシステムが提供される。前記システムは、第１の態様に係る光学装置と、ユニットセルのアレイに入射する光線を放出するように構成された光源と、を備える。
【００５６】
この第２の態様の効果および特徴は、第１の態様に関連して上記で説明したものとほぼ類似している。第１の態様に関連して述べられた実施形態は、第２の態様とほぼ互換性がある。
【００５７】
したがって、システムは、三次元ライトフィールドの分布を制御するための光学装置と、光学装置と相互作用するときに三次元ライトフィールドを形成するための光線を提供するための光源との両方を備え得る。
【００５８】
システムは、光源と光学装置との間に十分に制御された事前定義された関係が提供されるように、光学装置と光源が取り付けられたハウジングを備えることができる。
【００５９】
一実施形態によれば、システムは、光源によって放出された光の偏光を制御するためのコントローラをさらに備える。
【００６０】
光の偏光は、例えば、受動偏光フィルタのセットを使用する場合、アクティブなユニットセルを切り替えるために使用できる。したがって、コントローラは、光源によって放射された光の偏光が、三次元ライトフィールドの所望の分布を形成するための適切な時点で切り替えられるように制御することができる。
【００６１】
コントローラはまた、表示される次のホログラフィック画像のために非アクティブなユニットセルに情報を書き込むためのユニットセルの個々のアドレス指定を制御するように構成されてもよい。しかしながら、システムは、代替として、ユニットセルの光学特性の状態の切り替えを制御するための別個のコントローラを備えてもよい。そのような場合、光源によって放射された光の偏光の変更が適切な時点で行われることを確実にするために、複数のコントローラが同期されてもよい。
【００６２】
第３の態様によれば、三次元ライトフィールドの分布を形成する方法が提供され、前記方法は、ユニットセルのアレイに入射する光線を受け取るステップと、ユニットセルの第１のサブセットをアクティブにし、ユニットセルの第２のサブセットを非アクティブにすることを選択するステップであって、ユニットセルの第１のサブセットは、ユニットセルの第２のサブセットから切り離されている、ステップと、ユニットセルの光学特性を、光学特性の少なくとも第１条件および光学特性の第２の条件のうちの１つに制御するために、第２のサブセットのユニットセルが非アクティブである間に、ユニットセルの第２のサブセットのユニットセルを個別にアドレス指定するステップであって、ユニットセルの第２のサブセットは、三次元ライトフィールドの分布を形成するためのユニットセルの個別のアドレス指定によってプログラムされる、ステップと、ユニットセルの第１のサブセットを非アクティブに共同で切り替えるステップと、ユニットセルの第２のサブセットを共同で切り替えてアクティブにし、三次元ライトフィールドの分布をユニットセルの第２のサブセットにプログラムされた分布に変更するステップと、を含む。
【００６３】
この第３の態様の効果および特徴は、第１および第２の態様に関連して上記で説明したものとほぼ類似している。
【００６４】
第１および第２の態様に関連して述べられた実施形態は、第３の態様とほぼ互換性がある。
【００６５】
この方法は、ホログラフィックビデオが三次元ライトフィールドの分布の形成に基づいて提示される場合でも、書き込み時間に関する比較的ゆるい要件が提供されるように、非アクティブなユニットセルへの情報の書き込みを可能にする。さらに、サブセットのユニットセルは、例えば、ホログラフィックビデオの現在のフレームから次のフレームに切り替えるときに、三次元ライトフィールドの現在の分布と三次元ライトフィールドの次の分布との間の非常に速い切り替えのために、非アクティブからアクティブまたはその逆に共同で切り替えられてもよい。
【００６６】
上記、ならびに本発明の概念の追加の目的、特徴、および利点は、添付の図面を参照して、以下の例示的で非限定的な詳細な説明を通じてよりよく理解されるであろう。図面では、特に明記しない限り、同様の参照番号が同様の要素に使用される。
【図面の簡単な説明】
【００６７】
【図１】実施形態に係る光学装置の概略図である。
【図２ａ】反射および透過形状における光学装置を示す概略図である。
【図２ｂ】反射および透過形状における光学装置を示す概略図である。
【図３ａ】光学装置のユニットセルのアレイ内のユニットセルのサブセットを定義する実施形態を示す概略図である。
【図３ｂ】光学装置のユニットセルのアレイ内のユニットセルのサブセットを定義する実施形態を示す概略図である。
【図４ａ】光学装置のユニットセルのアレイ内のユニットセルのサブセットを定義する実施形態を示す概略図である。
【図４ｂ】光学装置のユニットセルのアレイ内のユニットセルのサブセットを定義する実施形態を示す概略図である。
【図４ｃ】光学装置のユニットセルのアレイ内のユニットセルのサブセットを定義する実施形態を示す概略図である。
【図４ｄ】光学装置のユニットセルのアレイ内のユニットセルのサブセットを定義する実施形態を示す概略図である。
【図５ａ】光学装置と共に使用されるカラーフィルタを示す概略図である。
【図５ｂ】光学装置と共に使用されるカラーフィルタを示す概略図である。
【図６】ファラデー回転子の原理を示す概略図である。
【図７】光シャッタ構造がＭＥＭＳベースのマイクロミラーシステムを使用して実施される、光学装置の光シャッタ構造を示す概略図である。
【図８】光シャッタ構造がＭＥＭＳベースのマイクロミラーシステムを使用して実施される、光学装置の光シャッタ構造を示す概略図である。
【図９】一実施形態に係るシステムの概略図である。
【図１０】実施形態に係る方法を示すフローチャートである。
【発明を実施するための形態】
【００６８】
ここで図１を参照すると、光学装置１００が一般的に説明される。光学装置１００は、ユニットセル１０４のアレイ１０２を備え得る。ユニットセル１０４のアレイ１０２内のユニットセルは、ユニットセル１０４の光学特性を制御するため、したがって、ユニットセル１０４のアレイ１０２の光学応答を制御するために個別にアドレス指定可能であり得る。
【００６９】
各ユニットセル１０４は、個別にアドレス可能であり得る。しかしながら、必ずしも、ユニットセル１０４の全てが個々にアドレス可能である必要はないことを理解されたい。
【００７０】
ユニットセル１０４の光学特性を制御することにより、アレイ１０２に入射する光線１０６への影響を制御することができる。したがって、ユニットセル１０４は、組み合わされて、入射光線１０６に対する制御可能な効果を形成し得る。したがって、アレイ１０２は、入射光線１０６に基づいて三次元ライトフィールドの分布を形成および制御するために使用され得る。
【００７１】
三次元ライトフィールドは、例えば、ホログラフィック画像を表示するために使用されてもよい。ユニットセル１０４のおかげで制御可能であれば、形成されるホログラフィック画像の変化を提供することができる。これは、光学装置１００がホログラフィック画像のビデオを表示するために使用され得ることを意味する。
【００７２】
しかしながら、三次元ライトフィールドの制御は、他の用途においても同様に有用であり得ることが理解されるべきである。三次元ライトフィールドを形成するための光学装置１００は、入射光線の三次元に制御された分布を投影することができ、制御された照明のための任意のタイプの用途で使用でき、三次元ライトフィールドに基づいた表示画像の形成と必ずしも組み合わせる必要はない。
【００７３】
光学装置１００は、入射光線１０６を反射するか、または入射光線１０６を透過するように設定することができる。光線１０６は、レーザー光線である光線１０６などのコヒーレント光源によって形成されてもよく、これは、ユニットセル１０４のアレイ１０２に入射ライトフィールドの明確な関係を提供し、したがって、ユニットセル１０４のアレイ１０２を使用して三次元ライトフィールドの所望の分布を形成するための基礎として使用するのに適している。
【００７４】
各ユニットセル１０４は、第１の状態と第２の状態との間で切り替えられ得る相変化材料（ＰＣＭ）を備え得、第１の状態と第２の状態との間のＰＣＭの切り替えは、ユニットセル１０４の光学特性を、光学特性の第１の条件と光学特性の第２の条件との間で切り替えるように構成される。
【００７５】
ＰＣＭは、結晶状態とアモルファス状態との間で切り替わるように構成され得る。しかしながら、第１および第２の状態は、ＰＣＭの状態の他の構成であってもよいことが理解されるべきである。例えば、ＰＣＭは、２つの異なる結晶状態の間で切り替わるように構成されてもよい。
【００７６】
ユニットセル１０４は、材料の組み合わせがユニットセルの光学特性を定義することができるように、例えば、材料の層のスタックにおいて、他の材料と組み合わせることができるＰＣＭの層を備えることがきる。次に、ＰＣＭの状態の切り替えは、例えば、ユニットセル１０４内の層のスタックの光学特性に影響を与え、その結果、ユニットセル１０４の光学特性の条件は、ＰＣＭの状態によって制御され得る。
【００７７】
例えば、ＰＣＭの状態の切り替えは、ＰＣＭの屈折率および／または誘電率に影響を与える可能性があり、その結果、例えば、ＰＣＭ層またはＰＣＭ層を備えるスタックは、入射光の所与の波長に対して高反射状態から低反射状態に切り替えられてもよい。
【００７８】
したがって、ユニットセル１０４は、ユニットセル１０４の光学特性の条件を制御するためのＰＣＭ層を備えることができる。例えば、所与の波長に対するユニットセルの反射率または透過率は、ＰＣＭの状態に大きく依存するように構成され得る。
【００７９】
一実施形態によれば、ＰＣＭは、ゲルマニウム、アンチモンおよびテルルの化合物である。例えば、ＰＣＭはＧｅ２Ｓｂ２Ｔｅ５（ＧＳＴ）で形成できる。これは、アモルファス状態と結晶状態との間で変化する可能性があり、ユニットセル１０４のアレイ１０２の所望の光学特性を提供するために適切に使用され得る材料である。
【００８０】
しかしながら、ＰＣＭは、２つの状態間の切り替えに基づいて光学特性の変化を提供する任意の材料であり得ることが理解されるべきである。ＰＣＭは、例えば、温度に曝されることに関連して（サーモクロミック材料）、または光に曝されることに関連して（フォトクロミック材料）、またはそのような材料の組み合わせに相変化を起こし得る任意の材料であり得る。例えば、ＶＯ２およびＶ２Ｏ３などの多数の異なる形態の酸化バナジウムを使用することができる。ＰＣＭは、上記の酸化バナジウムなどの金属酸化物材料、アゾベンゼン含有ポリジアセチレンなどのポリマー、またはジブロック（ポリ［スチレン−ｂ−イソプレン］）コポリマーなどのナノ構造ポリマーから形成されるサーモクロミック材料を含むことができる。あるいは、ＰＣＭは、複屈折材料など、印加された電場に基づいて光学特性の状態を変化させる電気光学材料、または、ガーネットおよび強磁性金属など、印加された磁場に基づいて光学特性の状態を変化させる磁気光学材料であってもよい。
【００８１】
ＧＳＴをＰＣＭとして使用する特定のケースでは、材料を切り替えると、プラズモニック（結晶状態）から誘電体（アモルファス状態）アンテナに構造を変更する。これは、非常に似た共振を示すが、波長は異なり、ユニットセル１０４の構造を、所定の波長の高反射状態から低反射状態に変更できる。
【００８２】
ＧＳＴの状態を切り替えると、光学特性が大幅に変化し、屈折率と誘電率の実部と虚部の両方に大きな変化が生ずる。ＧＳＴの結晶状態では、ＧＳＴは、誘電率の負の実部を有することに注意されたい。これは、金属の振る舞いを示し、したがって、プラズモン共鳴をサポートすることを意味する。アモルファス状態では、ＧＳＴは、誘電率の正の実部を有し、大きな虚部を伴う。すなわち、ＧＳＴは、損失の大きい誘電体として機能する。
【００８３】
ユニットセル１０４のＰＣＭは、（ＧＳＴのように）熱的に切り替えることができるが、これに限定されない。異なる実施形態では、電気光学材料および磁気光学材料を代替の実施形態として使用できることを理解されたい。
【００８４】
ＰＣＭの状態の制御は、例えば、ＰＣＭの局所加熱により、またはＰＣＭに局所的な電場または磁場を与えることにより、ユニットセル内で局所的に相変化材料の状態の切り替えを誘発するために、例えば、ユニットセル１０４に関連付けられた電極に制御信号を送信することにより、ユニットセル１０４を個別にアドレス指定することによって提供できることを理解されたい。
【００８５】
光学装置１００は、可視波長で適切に使用されてもよい。これは、三次元ライトフィールドが人に見られ得ることを意味するためである。ホログラフィック画像の作成などの多くの用途では、可視波長の使用が望まれる。しかしながら、光学装置１００は、代替的に、近赤外線、赤外線、または紫外線波長などの他の波長とともに使用されてもよい。したがって、ユニットセル１０４は、ユニットセル１０４の光学特性の条件の切り替えが、所望の動作波長に対するユニットセル１０４の強い効果を提供するように構成され得る。
【００８６】
ユニットセル１０４のアレイ１０２は、ユニットセル１０４の複数のサブセット１１０、１１２を備えることができ、サブセット１１０、１１２は、ユニットセル１０４の異なるハッチングによって図１に示されている。サブセット１１０、１１２は互いに素であり得、その結果、アレイ１０２中の各ユニットセル１０４は、単一のサブセットの一部である。
【００８７】
サブセット１１０、１１２内のユニットセル１０４は、アクティブであるか非アクティブであるかの間で共同に制御され得る。ユニットセル１０４がアクティブであるとき、ユニットセル１０４は、三次元ライトフィールドの分布を一緒に定義するユニットセル１０４のセットの一部である。ユニットセル１０４が非アクティブであるとき、ユニットセル１０４は、光学装置１００によって現在形成されている三次元ライトフィールドの分布を定義するためのユニットセル１０４のセットの一部ではない。
【００８８】
したがって、サブセット１１０、１１２は、アクティブであるか非アクティブであるかの間で切り替えられ得る。アクティブなサブセット１１０、１１２の場合、サブセット１１０、１１２の全てのユニットセル１０４は、アクティブであり、光学装置１００によって形成される三次元ライトフィールドの分布を定義することに寄与する。非アクティブなサブセット１１０、１１２の場合、サブセット１１０、１１２の全てのユニットセル１０４は、非アクティブであり、光学装置１００によって形成される三次元ライトフィールドの分布を定義することに寄与しない。
【００８９】
三次元ライトフィールドの分布を形成する場合、光学装置１００は、少なくとも１つのアクティブなサブセット１１０、１１２を有することができる。したがって、１つまたは複数のサブセット１１０、１１２は、一度にアクティブであり得る。光学特性のどの条件で各ユニットセル１０４を設定すべきかを決定するのを簡単にするために、単一のサブセット１１０、１１２のみが一度にアクティブであり得る。
【００９０】
ユニットセル１０４が非アクティブである場合、ユニットセル１０４は、三次元ライトフィールドの分布の形成に寄与しない。したがって、ユニットセル１０４は、非アクティブである間に切り替えられて、ユニットセル１０４が光学特性の第１の条件に設定され得るか、光学特性の第２の条件に設定され得るかを制御し得る。これは、非アクティブなサブセット１１０、１１２を準備しながら、各ユニットセル１０４を光学特性の所望の条件に設定して、サブセット１１０、１１２が非アクティブからアクティブに切り替えられると、サブセット１１０、１１２内のアクティブなユニットセル１０４は、三次元ライトフィールドの所望の分布が光学装置１００によって形成されることを即座に保証することができる。
【００９１】
このようにして、非アクティブなサブセット１１０、１１２を使用すると、次のフレームの情報の書き込み（三次元ライトフィールドの分布）を非アクティブなサブセット１１０、１１２のユニットセル１０４に書き込むことができる。したがって、書き込み動作を実行するための時間は、例えば、ホログラフィックビデオを見ている観察者の体験に影響を与えることなく、比較的長くてもよい。
【００９２】
次に、光学装置１００が三次元ライトフィールドの現在の分布の形成から三次元ライトフィールドの次の分布の形成へと更新されるとき、アクティブなサブセット１１０を非アクティブに切り替え、非アクティブなサブセット１１０、１１２をアクティブに切り替えることにより、非常に高速な動作を実行することができる。
【００９３】
三次元ライトフィールドの形成された分布の正確な制御が確実に得られるようにするために、アクティブなユニットセル１０４の周期性は、動作波長未満であり得る。周期性は、より正確な制御のために、動作波長の半分以下であることが好ましい場合がある。一実施形態では、アクティブなユニットセル１０４の周期性は、したがって、１００ｎｍのオーダであり得る。
【００９４】
光学装置１００は、サブセット１１０、１１２がアクティブであるか非アクティブであるかを共同で制御するためにサブセット１１０、１１２のそれぞれに関連付けられた個別のシャッタ１２２を有し得る光シャッタ構造１２０を備え得る。
【００９５】
光シャッタ構造１２０は、複数のシャッタ１２２を含むことができ、各シャッタ１２２は、単一のサブセット１１０、１１２内の複数のユニットセル１０４と関連付けることができる。いくつかの実施形態では、単一のシャッタ１２２は、サブセット１１０、１１２の全てのユニットセル１０４に関連付けられてもよい。
【００９６】
光シャッタ構造１２０は、以下で詳細に説明されるように、多くの異なる方法で実施されてもよく、アクティブまたはパッシブであってもよい。特にパッシブ光シャッタ構造１２０の場合、入射光線１０６の特性も制御して、光線１０６と光シャッタ構造１２０との間の相互作用を制御し、したがって、サブセット１１０、１１２がアクティブか非アクティブかを定義することができる。例えば、光線１０６の偏光を制御することができる。
【００９７】
図２ａ〜図２ｂに示されるように、光学装置１００の投影形状に応じて、ユニットセル１０４のアレイ１０２およびシャッタパターン１２０のための異なる配置が必要とされる場合がある。図２ａは、三次元ライトフィールドの分布を形成するために入射光線１０６を反射するように構成された光学装置１００を示し、一方、図２ｂは、三次元ライトフィールドの分布を形成するために、入射光線１０６を透過するように構成された光学装置１００を示す。
【００９８】
図２ａ〜図２ｂの図示された実施形態では、個々のユニットセル１０４の５０ｎｍのピクセルピッチが示されている。そのようなピクセルピッチでは、２×２のユニットセル１０４は、１００ｎｍの辺を有する正方形内に収まるであろう。これは、ユニットセル１０４の４つのサブセット１１０、１１２、１１４、１１６がユニットセル１０４のアレイ１０２で定義され、各サブセット１１０、１１２、１１４、１１６が１００ｎｍの有効ピッチを有することを意味する。各サブセット１１０、１１２、１１４、１１６に属するユニットセル１０４は、ユニットセル１０４の異なるハッチングによって図２ａ〜図２ｂに示されている。
【００９９】
１つのサブセット１１０は、三次元ライトフィールドの分布を形成するためにアクティブであり得る。これは、アクティブサブセット１１０に関連付けられる白色領域を備える光シャッタ構造１２０によって図２ａ〜図２ｂに示されている。すなわち、光シャッタ構造１２０は、入射光線１０６がアクティブなサブセット１１０のユニットセル１０４に到達することを可能にする。さらに、光シャッタ構造１２０は、非アクティブなサブセット１１２、１１４、１１６に関連付けられる黒い領域を含む。すなわち、光シャッタ構造１２０は、入射光線１０６が非アクティブなサブセット１１２、１１４、１１６内のユニットセル１０４に到達するのを防ぐ。
【０１００】
図２ａ〜図２ｂの実施形態では、４つのピクセルのうちの１つが同時にアクティブ化され、光学装置１００は、サブセット１１０がアクティブである所与の時点で示されている。非アクティブなサブセット１１２、１１４、１１６のユニットセル１０４は、次のフレームの三次元ライトフィールドの分布をエンコードするためにその時に書き込まれている。
【０１０１】
図２ａ〜図２ｂは、４つのサブセット１１０、１１２、１１４、１１６を備える光学装置１００を示しているが、２つまたは３つのサブセットなど、他の数のサブセットをアレイ１０２で使用することができることを理解されたい。
【０１０２】
三次元ライトフィールドの分布を形成するための反射形状（図２ａに示される）と透過形状（図２ｂに示される）の場合、シャッタ構造１２０の機能は、異なる性質を有するべきである。両方の形状について、開いたシャッタ構造１２０は、入射光線１０６（の一部）を透過し、閉じたシャッタ構造１２０は、光の透過を少なくとも部分的に防ぐ必要がある。
【０１０３】
図２ａの反射形状では、閉じたシャッタが入射光を反射しないことが望ましく、これは吸収シャッタ構造１２０が最もよく機能することを意味する。図２ｂの透過形状では、シャッタ構造１２０は、反射と吸収の両方について、光シャッタ構造１２０は、光学装置１００によって形成される三次元ライトフィールドの分布との干渉を生じないので、閉状態では反射性および／または吸収性であり得る。
【０１０４】
また、図２ｂの透過形状では、ユニットセル１０４のアレイ１０２および光シャッタ構造１２０の位置も、装置の機能を変更することなく切り替えることができることに留意されたい。すなわち、光線１０６は、ユニットセル１０４のアレイ１０２に入射することができる。次に、ユニットセル１０４のアレイ１０２から送信された光は、光シャッタ構造１２０に入射することができ、それにより、光シャッタ構造１２０は、ユニットセル１０４が三次元ライトフィールドの分布の形成に寄与することを許可されるかどうかを選択するために、光がさらに透過されるかどうかを選択することができる。
【０１０５】
したがって、一実施形態では、光シャッタ構造１２０は、ユニットセル１０４のアレイ１０２に対して配置され、光シャッタ構造１２０は、光シャッタ構造１２０への入射光が、ユニットセル１０４が非アクティブであるかアクティブであるかを選択するために関連付けられているユニットセル１０４に到達するかどうかを選択するために制御可能である。
【０１０６】
他の実施形態では、光シャッタ構造１２０は、ユニットセル１０４のアレイ１０２に対して配置され、光シャッタ構造１２０は、光シャッタ構造１２０への入射光が、ユニットセル１０４によって透過されている光が、ユニットセル１０４が非アクティブであるかアクティブであるかを選択するための三次元ライトフィールドの分布に寄与できるかどうかを選択するために制御可能である。
【０１０７】
この開示の残りの部分では、反射形状について異なる実施形態が示されているが、おそらく透過形状についての適切な調整により、これらの実施形態は、透過形状でも使用できることを理解されたい。
【０１０８】
光のシャッタは、様々な実施形態に関連して以下で説明する異なるアーキテクチャで達成することができる。２つの実施形態は、図３ａ〜図３ｂに示されている。
【０１０９】
その最も単純な実施形態（図３ａに示される）では、ユニットセル１０４のアレイ１０２および光シャッタ構造１２０のパターンは、同じ密度およびアドレス指定を有する。このような実施形態は、いくつかの実施形態では、同一のコンポーネントを使用して、ユニットセル１０４の光学特性の切り替え可能な条件を提供し、光シャッタ構造１２０の切り替えを提供して、ユニットセル１０４がアクティブか非アクティブかを制御することができる。
【０１１０】
このような実施形態では、サブセット１１０、１１２、１１４、１１６に関連付けられた全ての光シャッタで同じ操作が実行されるため、光シャッタ構造１２０のアドレス指定はより簡単になる。
【０１１１】
図３ａの光シャッタ構造１２０の実施形態の変形例が図３ｂに示されており、２つのサブセット１１０、１１２が、２つのユニットセル１０４のうちの１つが同時にアクティブになるように定義されている。サブセット１１０、１１２は、チェッカーボードパターンで配置されており、サブセット１１０、１１２の有効ピッチは、アレイ１０２内のユニットセル１０４のピッチに対して√２倍だけしか増加していない。この形状では、光シャッタ１２２は、単純なライン電極によってアドレス指定され、これは、クロスポイントアドレス指定の必要がある図３ａの実施形態と比較して、光シャッタ構造１２０のアドレス指定を簡略化する。
【０１１２】
光シャッタ構造１２０の他の実施形態は、図４ａ〜図４ｄに示され、サブセット１１０、１１２、１１４、１１６の有効ピッチは、実施形態に応じて、少なくとも１つの次元（行／列）で増加している。
【０１１３】
図４ａに示される実施形態では、アレイ１０２内のユニットセル１０４の各列は、細長いシャッタ１２２を共有する。そのようなパターンは、単純なライン電極によってシャッタ１２２を制御することを可能にする。シャッタ１２２が複数の列をカバーする変形例は、接触電極への制限がより少ない同じ単純なアドレス指定から利益を得るであろう。
【０１１４】
図４ｂおよび図４ｃに示される実施形態では、２×２ユニットセル１０４のクラスタをカバーするシャッタ１２２が提供されている。図４ｂの実施形態は、アレイ１０２の２つのサブセット１１０、１１２を定義し、ユニットセル１０４の２つのクラスタのうちの１つが同時にアクティブである。図４ｃの実施形態は、４つのサブセット１１０、１１２、１１４、１１６を定義し、ユニットセル１０４の４つのクラスタのうちの１つが同時にアクティブである。
【０１１５】
図４ｂの実施形態は、ライン電極による光シャッタ構造１２０の非常に簡単な接触を再び可能にする。図４ｃの実施形態では、主な利点は、（図３ａの実施形態と比較して）光シャッタ構造１２０を制御するために必要な電極の密度が低下することである。
【０１１６】
シャッタ１２２がＮ×Ｍ行および列をカバーする図４ａ〜図４ｃに示された実施形態の変形例は、光シャッタ構造１２０の制御電極の複雑さを低減することを可能にする一方で、三次元ライトフィールドの分布を形成するアクティブなサブセット１１０内のユニットセル１０４の小さなピッチを維持できることを理解されたい。
【０１１７】
アクティブなサブセット１１０内のユニットセル１０４のセグメント化または配置は、三次元ライトフィールドの所望の分布を形成するために、それぞれのユニットセル１０４に対して設定される光学特性の条件の計算に影響を与える。また、アクティブサブセット１１０におけるユニットセル１０４のセグメント化または配置は、達成することができる画像品質に影響を与える可能性がある。したがって、光シャッタ構造１２０を制御するための電極の最も実用的な実施形態と、三次元ライトフィールドの所望の分布の最も効率的な計算の両方を見つけるために、サブセット１１０、１１２、１１４、１１６内のユニットセル１０４の画像品質とセグメント化の程度との間にトレードオフが行われる可能性がある。
【０１１８】
図４ｄでは、サブセット１１０、１１２、１１４、１１６のセグメント化が並べて行われる実施形態が示されている。各サブセット１１０、１１２、１１４、１１６は、別個のチップに形成されてもよく、チップは、互いに近接して配置されてもよい。したがって、各サブセット１１０、１１２、１１４、１１６は、ユニットセル１０４のサブアレイを形成することができる。図４ｄの実施形態では、２×２サブアレイのアレイが、三次元ライトフィールドの異なる分布の順次形成のために使用される。
【０１１９】
上記の実施形態は、概して、単一の動作波長に適用され得る、すなわち、単一の波長の単一の光線１０６が光学装置１００に入射する、光シャッタ構造１２０を説明する。しかしながら、実際のホログラフィックビデオの表示など、多くの用途では、複数の色を使用する必要がある場合がある。
【０１２０】
このように、上に示されたセグメント化方式は、複数の色操作に拡張できる。複数の色操作は、光学装置１００にカラーフィルタを追加することを要求するかもしれない。カラーフィルタ１３０は、例えば、ユニットセル１０４のアレイ１０２が形成される基板上に統合されてもよい。カラーフィルタ１３０は、単一のユニットセル１０４と関連付けられるように構成され得、その結果、各ユニットセル１０４は、ユニットセル１０４によって受信される動作波長を制御するためのそれぞれのカラーフィルタと関連付けられ得る。
【０１２１】
追加または代替として、ユニットセル１０４のアレイ１０２の特定の領域を特定の色で選択的に照明するために照明をマスクすることができる。
【０１２２】
この場合も、サブセット１１０、１１２、１１４、１１６をセグメント化するためにカラーフィルタ１３０と組み合わせて行った選択は、異なる色の三次元ライトフィールドの所望の分布を形成するために、それぞれのユニットセル１０４に設定される光学特性の条件を計算するためのアルゴリズムに追加の影響を与える可能性がある。この点で、個々のシャッタ１２２でカバーされるセグメント化領域が大きいほど、計算への影響が少なくなる可能性が高く、アルゴリズムの複雑さと必要な画像品質の両方に関して、実施形態の点で最も実用的なセグメント化に関して最適が求められる可能性がある。
【０１２３】
ユニットセル１０４のアレイ１０２に関連するカラーフィルタ１３０の可能なレイアウトの２つの実施形態が、図５ａ〜図５ｂに示されている。カラーフィルタ１３０は、青色の光を透過させるカラーフィルタ１３０を示すために線状のハッチパターン、緑色の光を透過させるためのカラーフィルタ１３０を示すための点線のハッチパターン、および赤色の光を透過させるためのカラーフィルタ１３０を示すためのクロスラインのハッチパターンを使用して図５ａ〜図５ｂに示されている。
【０１２４】
図５ａの実施形態は、赤、緑、および青の３つの目標色に対して同じ数のユニットセル１０４を定義したが、図５ｂの実施形態は、ディスプレイおよびカメラ用途で一般的に使用されるＹＵＶカラー符号化システムの使用を示す。図５ｂの実施形態では、カラーフィルタ１３０の配置が依然として周期的配列で現れる一方で、緑色の光用のユニットセル１０４は、赤色および青色に比べて２倍多い。赤色と青色のユニットセル１０４の周期性は、アレイ１０２のユニットセル１０４の個々のピッチの２倍であるが、緑色のユニットセル１０４の周期性は、アレイ１０２のユニットセル１０４の個々のピッチの√２倍である。ホログラフィック画像を表示する用途では、そのようなタイリングを使用して、異なる色を対象とする切り替え可能なユニットセル１０４の異なる回折効率を補償することができる。
【０１２５】
異なるタイリングスキームの場合、三次元ライトフィールドの所望の分布を得るために異なる光シャッタ構造１２０が必要であり、計算アルゴリズムは、三次元ライトフィールドの所望の分布を形成するために、それぞれのユニットセル１０４に対して設定される光学特性の条件を計算するときに、セグメント化を考慮する必要があろう。
【０１２６】
図５ａおよび図５ｂの実施形態では、２×２および３×３アレイ（複数の）をカバーするシャッタ１２２（図５ａ〜図５ｂにおいて破線で示される例）は、各シャッタ１２２の下のそれぞれの色に関連付けられるユニットセル１０４の同一の形状をもたらすことを理解することは容易である。
【０１２７】
実際の実施形態において、図５ｂに示されるようなタイリングは、図５ａに示されるタイリングと比較して、それぞれのユニットセル１０４に対して設定される光学特性の条件を計算するための単純化された計算をもたらし得る。図５ｂの場合のように、特定の色に関連付けられるユニットセル１０４の周期性は固定されており、個々のユニットセル１０４は、正方形格子上にある。図５ｂに示される実施形態では、赤色および青色のユニットセル１０４は、個々のユニットセル１０４の周期の２倍の周期を有する正方形グリッド上に配置され、緑色のユニットセルは、個々のユニットセル１０４の周期の√２倍の４５度回転した正方形グリッド上に配置される。
【０１２８】
他の実施形態では、図５ａ〜図５ｂに示されるように、同じ色をターゲットとし、同様のパターンで配置されたＮ×Ｍユニットセル１０４のクラスタをグループ化することが有用であり得るが、各「ピクセル」は、特定の波長をターゲットとする「マイクロピクセル」（個々のユニットセル１０４）のアレイからなる「マクロピクセル」になる。次に、そのようなマクロピクセルは単一のカラーフィルタ１３０を備えることができ、一方、光シャッタ１２２は、異なる色のために動作する複数のマクロピクセルに再び関連付けることができる。
【０１２９】
カラーフィルタ１３０は、ユニットセル１０４のアレイ１０２が形成される基板に統合することができる単純な誘電体多層バンドパスフィルタとすることができる。あるいは、所望のパターンを有するカラーフィルタ１３０は、光源の前、または光源と光学装置１００との間の光路のどこかに配置されてもよい。そのような場合、カラーフィルタ１３０が意図されたユニットセル１０４と関連付けられることを確実にするために、良好な位置合わせ制御を有することが重要であろう。
【０１３０】
使用される特定のアーキテクチャに応じて、多くの異なるタイプの光シャッタ構造１２０を使用することができる。
【０１３１】
単純なケースでは、使用される光シャッタ構造１２０は、ユニットセルレベルで実施され、同じタイプの切り替え可能なコンポーネントが、動作メカニズムに関係なく、ユニットセル層と光シャッタ層の両方で使用される。そのような実施形態では、光シャッタ１２２からの反射／透過強度に関して、良好なオン／オフ比が必要になる場合がある。
【０１３２】
光シャッタ構造１２０とユニットセル１０４に同じタイプの切り替え可能なコンポーネントを使用すると、開いたシャッタ１２２が「オン」状態のユニットセル１０４と同じ状態になる透過形状（図２ｂ）でうまく機能し（すなわち、光学特性の条件を設定して、高度な光透過を提供する）、一方、閉じたシャッタ１２２は、「オフ」状態のユニットセル１０４と同じ状態になる（すなわち、光学特性の条件を設定して、光の透過を実質的に防止する）。このような実施では、光がユニットセル１０４と光シャッタ１２２を通過した後、光学装置１００から十分な光強度を得るには、オン／開状態の透過強度を非常に大きくする必要がある。
【０１３３】
反射形状（図２ａ）では、光源からシャッタ１２２に入射してユニットセル１０４に通過したときと、ユニットセル１０４で反射してシャッタ１２２を通過したときに、光がシャッタ１２２を２回通過し、シャッタ１２２上に三次元ライトフィールドの分布を形成する。したがって、シャッタ１２２は、閉状態では吸収率が高い一方で、開状態では再び非常に透過性でなければならない。
【０１３４】
開状態では、光強度の主な変調は、光シャッタ１２２が関連付けられているユニットセル１０４からもたらされるべきである。閉じた状態では、隣接するアクティブユニットセル１０４によって形成される三次元ライトフィールドに干渉する反射を生成しないように、光を吸収する必要がある。一方、ユニットセル１０４の場合、「オン」状態では大きな反射が望まれるが、「オフ」状態では、光は吸収されるか、またはユニットセル１０４が形成される基板に向かって透過される。
【０１３５】
サブセット１１０、１１２、１１４、１１６内のユニットセル１０４の周期性が有利には動作波長を十分に下回ることがあるとすると、シャッタ１２２は、個々のシャッタ１２２が非常に小さいサイズである必要性を回避するために、複数のユニットセル１０４と関連付けられるように配置され得る。このような光シャッタ１２２の配置は、少なくとも可視またはＮＩＲスペクトル領域の動作波長に使用できる（より長い波長の場合、ユニットセル１０４のサイズは大きくなり、光シャッタ１２２は、それぞれのユニットセル１０４に対してより簡単に個別に形成できる）。
【０１３６】
したがって、シャッタ１２２は、ユニットセル１０４よりも大きく、複数のユニットセル１０４と関連付けることができる。
【０１３７】
シャッタ１２２の適切な寸法を決定することは、三次元ライトフィールドの所望の分布を生成するための計算アルゴリズムに対する光シャッタ１２２の影響を考慮に入れ、選択されたシャッタタイプに基づいたシャッタ１２２の実施形態に関する実際的な考慮事項を考慮することを含み得る。
【０１３８】
以下に、光シャッタ構造を実施する複数の異なる方法を説明する。
【０１３９】
上記のように、ＰＣＭは、ユニットセル１０４の光学特性の状態を制御するのに有用であり得る。透過形状の場合、少なくとも透過強度が十分に高い場合、同様の設計を光シャッタ１２２として使用することができる。
【０１４０】
したがって、光シャッタ１２２は、第１の状態と第２の状態との間で切り替えられ得るＰＣＭ層を備え得、第１の状態と第２の状態との間のＰＣＭの切り替えは、開状態と閉状態との間で光シャッタ１２２を切り替えるように構成される。
【０１４１】
ＰＣＭは、結晶状態とアモルファス状態との間で切り替わるように構成され得る。しかしながら、第１および第２の状態は、ＰＣＭの状態の他の構成であってもよいことが理解されるべきである。例えば、ＰＣＭは、２つの異なる結晶状態の間で切り替わるように構成されてもよい。
【０１４２】
光シャッタ１２２は、ＰＣＭの層を備えることができ、これは、例えば、材料の層のスタックにおいて他の材料と組み合わせることができ、それにより、材料の組み合わせは、光シャッタ１２２の開状態または閉状態を定義することができる。次に、ＰＣＭの状態の切り替えは、例えば、光シャッタ１２２内の層のスタックの光学特性に影響を与え、光シャッタ１２２の状態がＰＣＭの状態によって制御され得る。
【０１４３】
上記で概説したように、反射ベースの形状の場合、光シャッタ１２２とユニットセル１０４の機能は異なる。したがって、光シャッタ１２２が反射ベースの形状のＰＣＭを使用して実施される場合、ＰＣＭを使用する光シャッタ１２２の設計（例えば、ＰＣＭ層を含む層のスタック）は、ＰＣＭを使用するユニットセル１０４の設計とは異なる必要がある。
【０１４４】
他の実施形態によれば、光シャッタ構造１２０は、液晶を使用することができる。
【０１４５】
液晶の動作は、液晶を通過する光の直線偏光の回転に依存する。これは、互いに９０°回転する２つの直線偏光子の間に配置される。液晶を用いた光シャッタ１２２の開状態では、液晶中で光の偏光が９０°回転するため、光シャッタ１２２の直線偏光子を透過することができる。光シャッタ１２２の閉状態では、光は、液晶中を伝搬するときに初期偏光を維持し、したがって、光シャッタ１２２の直線偏光子を透過することができない。
【０１４６】
液晶を使用する技術は非常に成熟しているが、現在、液晶で実現できる最小のピクセルサイズは、数ミクロンのサイズに制限されている。偏光の回転は、螺旋状の配置を形成し、物理的に回転させる必要があり、光と十分に相互作用して十分に機能する細長い分子によって実現される。これは、サブ波長ピクセルピッチのユニットセル１０４のアレイ１０２の場合、液晶を使用した光シャッタ１２２は、より大きなピクセルブロックまたは「マクロ」ピクセルにのみ適用できることを意味する。
【０１４７】
他の実施形態によれば、光シャッタ構造１２０は、電気光学効果を使用することができる。
【０１４８】
電気光学効果は、光の周波数と比較してゆっくりと変化する電界に応答した、材料の光学特性の変化である。最も一般的な変化は、外部電界の関数としての材料の吸収または材料の屈折率または誘電率の変化である。両方のメカニズムを使用して、様々な基本的な効果に依存して、光シャッタ１２２を作成できる。
【０１４９】
例えば、光シャッタ１２２は、ポッケルス効果（線形電気光学係数）またはカー効果（二次電気光学係数）を使用して屈折率を変化させる際に強い電気光学効果を示す材料を使用して実施され得る。ポッケルス効果は、反転対称性がなく、一般的にカー効果よりもはるかに強い特定の結晶性物質で観察できる。ポッケルス効果は、電磁波の位相と振幅の両方を変更するために使用できる電気光学変調器で広く研究されている。
【０１５０】
したがって、光シャッタ１２２は、局所電界を光シャッタ１２２に印加することに基づいて、開状態と閉状態との間で切り替えられ得る。
【０１５１】
他の実施形態によれば、光シャッタ構造１２０は、磁気光学効果を使用することができる。
【０１５２】
磁気光学効果は、その磁化に応じた材料の光学特性の変化である。材料が磁化されると、時間反転の対称性が失われ、材料の誘電率テンソルに非対角項が生ずる。光がそのような材料と相互作用すると、材料からの透過または反射により、光の偏光状態が変化し、光の強度と位相が変調される。透過形状では、この効果は、ファラデー効果と呼ばれ、反射では、磁気光学カー効果（ＭＯＫＥ）と呼ばれる。これらの効果の最も一般的な用途は、光アイソレータである。この場合、いわゆるファラデー回転子が２つの直線偏光子と組み合わせて使用される。図６に示されるように、ファラデー回転子を介して直線偏光で伝播すると、光の偏光は、材料の磁化に依存する角度で回転する。
【０１５３】
典型的な光アイソレータでは、回転角βが４５°に達するように長さｄが選択され、入力側の第１の偏光子を通過できる垂直偏光の光は、出力側の第２の偏光子を通過する。ここで、第２の偏光子は、第１の偏光子に対して４５°回転される。光が出力側から入力側に反対方向に伝搬する場合、ファラデー回転子は光を入力側で水平偏光にするため、光は第１の偏光子を透過しない。ファラデー回転子の磁化を切り替えると、回転方向が反転する。すなわち、このような装置は、光学シャッタとして動作できる。
【０１５４】
しかしながら、最新のガーネットベースのファラデー回転子の典型的な回転値は、０．１°／μｍのオーダである。すなわち、伝搬長はかなり長くなければならない。したがって、ファラデー回転子に基づく光シャッタ１２２は、比較的大きくなり得る。しかしながら、ファラデー回転子で４５°の完全な回転を使用する必要がない場合がある。そのため、様々な偏光子の角度を操作することで、よりコンパクトな光シャッタ１２２を実現できるが、透過パワーの強度が低下する。
【０１５５】
したがって、磁気光学効果を使用する光シャッタ１２２は、局所磁場を光シャッタ１２２に印加することに基づいて、開状態と閉状態との間で切り替えられ得る。
【０１５６】
他の実施形態によれば、光シャッタ構造１２０は、マイクロエレクトロメカニカルシステム（ＭＥＭＳ）またはナノマイクロエレクトロメカニカルシステム（ＮＥＭＳ）ベースのコンポーネントを使用することができる。
【０１５７】
ＭＥＭＳベースのコンポーネントは、様々なタイプのディスプレイデバイスに使用されている。ほとんどの研究は、主に（しかしながら、これに限定されない）反射型投影ディスプレイに使用されるマイクロミラーアレイに基づいているが、ＬＥＤバックライト付きの透過型ディスプレイも、１０μｍという小さなシャッタサイズで実現されている。ＭＥＭＳベースのコンポーネントの透過形状の場合、ＭＥＭＳシャッタを使用することは非常に複雑になる可能性が高いが、マイクロミラーは、図７に示されるように、ユニットセル１０４のアレイ１０２の選択された部分を照明するための効果的な方法として使用できる。
【０１５８】
図７に示される構成は、光学装置１００の反射形状および透過形状の両方に対して機能する。ＭＥＭＳベースの光シャッタ構造１２０は、マイクロミラー１２２のアレイを備え、各マイクロミラーは、アレイ１０２内の１つまたは複数のユニットセル１０４に関連付けられ得る。
【０１５９】
そのようなＭＥＭＳベースのミラーシステムは、数μｍまでの寸法で製造することができるため、ＭＥＭＳベースの構造によって制御されるマイクロミラーは、アレイ１０２のサブセット１１０、１１２、１１４、１１６を定義することを可能にする光シャッタを実行することができる。ＭＥＭＳベースのミラーシステムは、光を受け取るために単一のユニットセル１０４を選択することができない場合がある。むしろ、図７に示されるピクセルは、それぞれ、個々のユニットセル１０４ではなく、ユニットセル１０４のクラスタを表す。例えば、５μｍのミラーサイズおよび５０ｎｍの個々のユニットセル１０４のピッチの場合、ＭＥＭＳベースのミラーシステムを使用する光シャッタ構造１２０は、１００×１００の個々のユニットセル１０４を含むマクロピクセルに光をセグメント化する。
【０１６０】
図８に示されるように、ＭＥＭＳベースのミラーシステムは、各ミラー１２２に、照明しているマクロピクセルのターゲット波長のみを透過するバンドパスフィルタを備えることにより、複数の色に多重化することも可能である。
【０１６１】
ＭＥＭＳベースのミラーシステムを使用する光シャッタ１２２は、ユニットセル１０４のアレイ１０２に向けて光を反射するか、またはアレイ１０２に到達しないように光を別の方向に向ける位置にマイクロミラーを設定するためのマイクロミラー１２２に関連付けられたマイクロエレクトロメカニカルアクティベータの制御に基づいて、開状態と閉状態との間で切り替えられ得る。
【０１６２】
他の実施形態によれば、光シャッタ構造１２０は、受動光偏光子を使用することができる。
【０１６３】
ユニットセル１０４の２つのサブセット１１０、１１２を定義する単純な実施形態（単一の動作波長の場合）は、各サブセット１１０、１１２に受動（ワイヤグリッド）直線偏光子を備え、それぞれのサブセット１１０、１１２の偏光子は、互いに直交するように配置されている。
【０１６４】
次に、サブセット１１０、１１２がアクティブになるかどうかの制御は、入射光線１０６の直線偏光状態を変更することによって実行されてもよい。これは、多くの異なる方法で、例えば、光源または光学装置１００と関連付けられ得る、直線偏光子、光弾性変調器（ＰＥＭ）、液晶またはファラデー回転子を回転させることによって達成され得る。
【０１６５】
他の実施形態によれば、光シャッタ構造１２０は、アクティブな偏光子を使用することができる。
【０１６６】
切り替え可能なＰＣＭベースの（ワイヤグリッド）偏光子を備えたアーキテクチャを使用して、サブセット１１０、１１２がアクティブであるか非アクティブであるかを選択することができる。このような実施形態では、ワイヤグリッド偏光子の周期性とデューティサイクルは、ＰＣＭの１つの状態で多くの光を透過し、ＰＣＭの他の状態で多くの光を吸収または反射するように選択する必要がある。そのような中で構成では、第１の色をターゲットとするユニットセル１０４のサブセットは、照明のために単一の直線偏光状態を使用してすでにオンまたはオフに切り替えることができる。次に、他の波長をターゲットとするユニットセル１０４の第２のサブセットに、第１のサブセットの偏光子に対して９０°回転する切り替え可能な偏光子を備えることができる。さらに、第２の色の入射光線も、第１の色に対して９０°回転した直線偏光を有することができる。
【０１６７】
他の実施形態によれば、光シャッタ構造１２０は、個々の光シャッタ１２２がユニットセル１０４のかなり大きなクラスタに関連付けられているか、ユニットセル１０４のサブアレイに関連付けられている実施形態では、巨視的な機械的シャッタを使用することができ、機械的シャッタは、所望のフレームレートを維持するのに十分な速さで切り替えられるように設計される。
【０１６８】
アレイ１０２のユニットセル１０４が偏光依存になり、ユニットセル１０４の光学特性を提供する場合（例えば、直交する直線偏光状態でアレイ１０２を照明する２つの異なる波長で機能する）、上記のすべて前述の偏光ベースの光シャッタ構造１２０を使用して、追加の機能を得ることができる。
【０１６９】
次に、図９を参照して、三次元ライトフィールドの分布を形成するためのシステム２００について説明する。
【０１７０】
システム２００は、上述の実施形態のいずれかに係る光学装置１００を備えることができる。システム２００は、動作波長の照明光を提供するための１つまたは複数の光源２０２をさらに備えることができる。
【０１７１】
さらに、システム２００は、ユニットセル１０４のアレイ１０２の所望の照明を確実にするために、光源２０２と光学装置１００との間の経路に配置され得る光学コンポーネントを備え得る。
【０１７２】
上記の様々な実施形態について述べたように、光シャッタ構造１２０は、ユニットセル１０４のアレイ１０２が形成される基板と一体化することができる。あるいは、光シャッタ構造１２０は、例えば、光源２０２と光学装置１００との間の光路に別個に配置されてもよく、または光源２０２に関連して取り付けられてもよい。
【０１７３】
システム２００は、光源２０２、光シャッタ構造１２０および光学装置１００の互いに対する適切に制御された取り付けを提供するために、ハウジング２０４に実施されてもよい。
【０１７４】
システム２００は、システム２００の１つまたは複数の機能を制御することができるコントローラ２１０をさらに含むことができる。コントローラ２１０は、ユニットセル１０４のアレイ１０２が形成される基板上に統合されてもよく、ユニットセル１０４の光学特性の条件を切り替えるために制御信号がユニットセル１０４にいつ提供されるべきかを制御し得る。さらに、コントローラ２１０は、光シャッタ構造１２０を制御して、光シャッタ１２２を開状態と閉状態との間で切り替えることができる。
【０１７５】
コントローラ２１０は、表示されるべき所望のホログラフィック画像の情報を受け取り得、三次元ライトフィールドの所望の分布を形成するために、それぞれのユニットセル１０４に対して設定されるべき光学特性の条件を計算するためのアルゴリズムを実行し得る。あるいは、コントローラ２１０は、アルゴリズムを実行することができる外部ユニットからユニットセル１０４に設定される光学特性の条件の情報を受け取ることができる。
【０１７６】
コントローラ２１０はまた、光源２０２の偏光を設定し、光学装置１００への入射光線１０６の偏光を、アクティブであるユニットセル１０４のサブセット１１０、１１２のどのタイミングと同期させるかについて、光源２０２を制御することもできる。
【０１７７】
コントローラ２１０は、システム２００の機能を実施するために１つまたは複数のコンピュータプログラムの命令を実行できる中央処理装置（ＣＰＵ）などの１つまたは複数の処理装置として実施できることを理解されたい。
【０１７８】
代替として、コントローラ２１０は、例えば、組み込みシステムに配置されたファームウェアとして、または特定用途向け集積回路（ＡＳＩＣ）またはフィールドプログラマブルゲートアレイ（ＦＰＧＡ）などの特別に設計された処理ユニットとして実施されてもよい。
【０１７９】
ここで図１０を参照して、三次元ライトフィールドの分布を形成するための方法が論じられる。
【０１８０】
この方法は、ユニットセルのアレイに入射する光線を受け取るステップ３０２を含むことができる。この方法は、ユニットセルの第１のサブセットをアクティブにし、ユニットセルの第２のサブセットを非アクティブにすることを選択するステップ３０４をさらに含む。
【０１８１】
したがって、アクティブなサブセットのユニットセルは、一緒になって、入射光ビームを受け取るユニットセルによって形成される三次元ライトフィールドの分布を定義することができる。
【０１８２】
この方法は、ユニットセルの光学特性を、光学特性の少なくとも第１の条件および光学特性の第２の条件のうちの１つに制御するために、第２のサブセットのユニットセルが非アクティブである間に、ユニットセルの第２のサブセットのユニットセルを個別にアドレス指定するステップ３０６をさらに含む。第２のサブセット内のユニットセルのアドレス指定によって、ユニットセルの第２のサブセットは、サブセットがアクティブに切り替えられたときに形成される三次元ライトフィールドの分布を形成するようにプログラムされる。
【０１８３】
この方法は、第１のサブセットのユニットセルが光学装置によって形成される三次元ライトフィールドの分布にもはや寄与しないように、ユニットセルの第１のサブセットを非アクティブに共同で切り替えるステップ３０８をさらに含む。
【０１８４】
この方法は、アクティブになるようにユニットセルの第２のサブセットを共同で切り替えるステップ３１０をさらに含む。したがって、光学装置は、第２のサブセットをアクティブに切り替えた後、サブセットが非アクティブである間にユニットセルの第２のサブセットにプログラムされた三次元ライトフィールドの分布を形成する。
【０１８５】
上記において、本発明の概念は、限られた数の例を参照して主に説明されてきた。しかしながら、すぐに当業者によって理解されるように、上に開示されたもの以外の他の例は、添付の請求の範囲によって定義されるように、本発明の概念の範囲内で等しく可能である。
【図１】
2021514491.tif 000003
【図２ａ】
2021514491.tif 000004
【図２ｂ】
2021514491.tif 000005
【図３ａ】
2021514491.tif 000006
【図３ｂ】
2021514491.tif 000007
【図４ａ】
2021514491.tif 000008
【図４ｂ】
2021514491.tif 000009
【図４ｃ】
2021514491.tif 000010
【図４ｄ】
2021514491.tif 000011
【図５ａ】
2021514491.tif 000012
【図５ｂ】
2021514491.tif 000013
【図６】
2021514491.tif 000014
【図７】
2021514491.tif 000015
【図８】
2021514491.tif 000016
【図９】
2021514491.tif 000017
【図１０】
2021514491.tif 000018
【国際調査報告】
2021514491.tif 000019
2021514491.tif 000020
2021514491.tif 000021